(57)【要約】【課題】遠心力を利用し、メインホイールセットと可動ホイールセットとを組み合わせて発生させる回転で発電装置を駆動させ、安価な動力を供給することが可能な自動遠心動力装置を提供する。【解決手段】自動遠心動力装置１００は、遠心力を利用して動力を発生させる。自動遠心動力装置１００は、メインホイールセット１０５と、メインホイールセット１０５中に配置され、メインホイールセット１０５中で回転する可動ホイール１０１と、メインホイールセット１０５の側面に配置されたサブホイールセット１１０と、可動ホイール１０１とサブホイールセット１１０とを接続するワイヤロープ１０２とを備える。【選択図】図１
2010169075.tif 000002
【特許請求の範囲】
【請求項１】
遠心力を利用して動力を発生させる自動遠心動力装置であって、
メインホイールセットと、
前記メインホイールセット中に配置され、前記メインホイールセット中で回転する可動ホイールと、
前記メインホイールセットの側面に配置されたサブホイールセットと、
前記可動ホイールと前記サブホイールセットとを接続するワイヤロープと、を備えることを特徴とする自動遠心動力装置。
【請求項２】
発電装置をさらに備え、
前記サブホイールセットは、Ｖベルトにより前記発電装置と接続されるＶベルトホイールを有することを特徴とする請求項１に記載の自動遠心動力装置。
【請求項３】
前記ワイヤロープは、ワイヤロープホイールのホイール溝中に取付けられることを特徴とする請求項２に記載の自動遠心動力装置。
【請求項４】
前記メインホイールセットは、前記メインホイールセット中から前記可動ホイールが外れることを防ぐ複数の保護片をさらに含むことを特徴とする請求項１に記載の自動遠心動力装置。
【請求項５】
前記可動ホイールは、前記ワイヤロープが取付けられたワイヤロープ駆動ホイールを有することを特徴とする請求項１に記載の自動遠心動力装置。
【発明の詳細な説明】
【技術分野】
【０００１】
本発明は自動遠心動力装置に関し、特に、動力を継続的に発生させる自動遠心動力装置に関する。
【背景技術】
【０００２】
商工業の発展および快適な生活に対する人々の欲求が高まるに従い、人々のエネルギと動力に対する要求および依頼度は日々高まっている。従来、主に原子力、石炭、石油、天然ガス、風力、地熱、ソーラエネルギなどにより発生される電力により動力が供給されていた。快適な生活に対する人々の欲求が高まるに従い、それに必要な電力量も次第に増えてきた。
【０００３】
エネルギを供給することが可能な物質が、将来、枯渇すると考えられているにもかかわらず、地球全体のエネルギ使用量は次第に増大している。そのため、環境への負担が増えるだけでなく、地球環境を徐々に悪化させている。そのため、地球上の有限なエネルギ問題を解決し、新しい代替エネルギを迅速に開発することが求められている。
【０００４】
現在、一般の発電用エネルギ源のなかでも原子力発電は、利点もあるが弊害もあった。特に環境保護の意識が高まっている今日、原子力発電の放射能汚染に対しては厳しい目が向けられている。また、水力発電は、利用できる水資源のほとんどが既に開発されており、水力発電に伴って発生する自然破壊の弊害も長い間批判されているため、将来的に発展する可能性は小さいと見られている。さらに、石炭発電に関しては、発電に伴って発生する大気汚染および温室効果の問題は依然解決していない。
【０００５】
そのため、将来直面するであろうエネルギ不足という問題が世界の人々の生活を脅かすことが予想され、未だ新たな代替エネルギが開発されていない状況に鑑み、多様なエネルギ供給方法を有効に利用し、全人類が直面しているエネルギ危機を解決する必要があった。
【０００６】
上述したようにエネルギ資源が次第に枯渇に向かっているにもかかわらず、世界の人々が必要とするエネルギ量は次第に増えてきている。従来のエネルギ供給方法では、人々のニーズを満足させることができず、また一部のエネルギ供給方法は、環境に負担をかけて汚染を発生させ、地球上の人々の生活を脅かしている。
【発明の概要】
【発明が解決しようとする課題】
【０００７】
本発明の目的は、遠心力を利用し、メインホイールセットと可動ホイールセットとを組み合わせて発生させる回転で発電装置を駆動させ、安価な動力を供給することが可能な自動遠心動力装置を提供することにある。
【課題を解決するための手段】
【０００８】
（１）  遠心力を利用して動力を発生させる自動遠心動力装置であって、メインホイールセットと、前記メインホイールセット中に配置され、前記メインホイールセット中で回転する可動ホイールと、前記メインホイールセットの側面に配置されたサブホイールセットと、前記可動ホイールと前記サブホイールセットとを接続するワイヤロープと、を備えることを特徴とする自動遠心動力装置。
【０００９】
（２）  発電装置をさらに備え、前記サブホイールセットは、Ｖベルトにより前記発電装置と接続されるＶベルトホイールを有することを特徴とする（１）に記載の自動遠心動力装置。
【００１０】
（３）  前記ワイヤロープは、ワイヤロープホイールのホイール溝中に取付けられることを特徴とする（２）に記載の自動遠心動力装置。
【００１１】
（４）  前記メインホイールセットは、前記メインホイールセット中から前記可動ホイールが外れることを防ぐ複数の保護片をさらに含むことを特徴とする（１）に記載の自動遠心動力装置。
【００１２】
（５）  前記可動ホイールは、前記ワイヤロープが取付けられたワイヤロープ駆動ホイールを有することを特徴とする（１）に記載の自動遠心動力装置。
【発明の効果】
【００１３】
本発明の自動遠心動力装置は、可動ホイールにより発生される動的エネルギを利用し、装置または動的エネルギを必要とする設備に必要な動力、または、発電装置の駆動に利用することができる安価な電力源を提供することができる。
【図面の簡単な説明】
【００１４】
【図１】本発明の一実施形態による自動遠心動力装置を示す模式図である。
【図２】本発明の一実施形態による自動遠心動力装置のサブホイールセットを示す断面図である。
【図３】本発明の一実施形態による自動遠心動力装置のメインホイールセットを示す断面図である。
【発明を実施するための形態】
【００１５】
本発明の自動遠心動力装置は、サブホイールセットにより可動ホイールをメインホイールセットの左側へ牽引すると、メインホイールセットの左側が右側より重くなることを利用し、可動ホイールを回転させることにより、サブホイールセットを駆動させて装置を直接作動させたり、発電装置を作動させたりすることができる。これにより、所望の動力を得たり、発電を行ったりすることができる。そのため、本発明の自動遠心動力装置は、環境汚染を発生させずに、安価で良質な動力を供給し、人々が使用するエネルギのニーズを満足させることができるとともに、環境に負担をかけずに汚染を発生させることがない。
【００１６】
以下、本発明を具体化した実施形態を図面を参照しつつ説明する。
【００１７】
図１を参照する。図１は、本発明の一実施形態による自動遠心動力装置１００を示す模式図である。図１に示すように、自動遠心動力装置１００は、メインホイールセット１０５と、サブホイールセット１１０と、ストッパ１１１と、メインホイールセット１０５およびサブホイールセット１１０に接続されたワイヤロープ１０２と、を含む。ストッパ１１１は、主に駆動させる前に回転することを防ぐことができるように、サブホイールセット１１０を固定させる。このストッパ１１１は、サブホイールセット１１０のホイール軸１６０の側面に配置させたり、サブホイールセット１１０の外縁部に配置させたりしてもよい。
【００１８】
自動遠心動力装置１００の駆動を開始するときは、まず、サブホイールセット１１０によりメインホイールセット１０５を一方の側（例えば、図１の左側）に向かって引っ張る。ここで、メインホイールセット１０５とサブホイールセット１１０とのなす角度は約１５度であり（図１を参照する）、サブホイールセット１１０がストッパ１１１により固定されているため、変位が僅かに発生しても回転することがない。
【００１９】
続いて、サブホイールセット１１０を回転させることができるように、サブホイールセット１１０上からストッパ１１１を外し、サブホイールセット１１０を左側に移動させる力をリリースする。この際、可動ホイール１０１は、下向の力を発生させ、可動ホイール１０１の重心がメインホイールセット１０５の左側に位置しているため、可動ホイール１０１が反時計回り（図１の１１５で示す回転方向）に回転する。可動ホイール１０１の重量は、メインホイールセット１０５の重量の約３倍〜５倍であるが、メインホイールセット１０５がホイール軸１２０上で回転するときの摩擦力が小さいため、可動ホイール１０１がワイヤロープ１０２で牽引されると、可動ホイール１０１が回転する際にメインホイールセット１０５も回転する。可動ホイール１０１は、非常に重い金属からなり、メインホイールセット１０５は、重い材料からなることが好ましい。
【００２０】
サブホイールセット１１０からストッパ１１１が外されているため、ワイヤロープ１０２を介し、可動ホイール１０１の回転に伴ってサブホイールセット１１０も回転する。サブホイールセット１１０の回転は、Ｖベルト１１３を介して発電装置１１２を駆動させて発電を行う。
【００２１】
メインホイールセット１０５の側面には、可動ホイール１０１がメインホイールセット１０５中から外れることを防ぐために、保護片１０３がさらに設けられている。可動ホイール１０１は、動力ホイール１６２と、動力ホイール１６２に接続したワイヤロープ駆動ホイール１６６と、を含んでいることが好ましい。動力ホイール１６２は、メインホイールセット１０５中で回転し、ワイヤロープ駆動ホイール１６６のホイール溝１０４中にワイヤロープ１０２が取付けられてもよい。可動ホイール１０１の偏心距離が大きいほど（即ち、可動ホイール１０１の中心がメインホイールセット１０５のホイール軸１２０の中心から離れるほど）、駆動力が大きくなる。
【００２２】
サブホイールセット１１０は、Ｖベルトホイール１１６と、Ｖベルトホイール１１６に接続したワイヤロープホイール１１７と、を含んでいることが好ましい。ワイヤロープホイール１１７は、ワイヤロープ１０２により回転される。さらに、Ｖベルトホイール１１６を回転させると、Ｖベルトホイール１１６のホイール溝１１４中に取付けられたワイヤロープ１０２を動かすことができる。ホイール軸１２０は、所定位置に固定され、ホイール軸１６０は、ワイヤロープ１０２の牽引により所定位置に移動することが好ましい。本実施形態の自動遠心動力装置１００を駆動させる前に、ホイール軸１６０を左側に移動させて可動ホイール１０１を左側に移動させてから、ストッパ１１１がサブホイールセット１１０をリリースすると、右側の所定位置（最下端位置）まで可動ホイール１０１が移動し、可動ホイール１０１が回転し始める。
【００２３】
本発明は、可動ホイールの重量により位置エネルギを変化させ、可動ホイールの中心をホイール軸の中心から離れた箇所に位置させることにより回転力を発生させ、これにより可動ホイール、メインホイールセットおよびサブホイールセットの回転を行う。可動ホイール、メインホイールセットおよびサブホイールセットを回転させることにより、これらに接続した発電装置を駆動させ、機械または設備に動力または電力を供給させることができる。そのため、本発明の自動遠心動力装置は、機器または設備に環境汚染が発生しない安価な動力または電力を供給し、将来枯渇する可能性のある有限なエネルギを有効に利用することができる。
【００２４】
この発明は、上記発明の実施例の説明に何ら限定されるものではない。特許請求の範囲の記載を逸脱せず、当業者が容易に想到できる範囲で種々の変形態様もこの発明に含まれる。
【符号の説明】
【００２５】
１００…自動遠心動力装置
１０１…可動ホイール
１０２…ワイヤロープ
１０３…保護片
１０４…ホイール溝
１０５…メインホイールセット
１１０…サブホイールセット
１１１…ストッパ
１１２…発電装置
１１３…Ｖベルト
１１４…ホイール溝
１１５…回転方向
１１６…Ｖベルトホイール
１１７…ワイヤロープホイール
１２０…ホイール軸
１６０…ホイール軸
１６２…動力ホイール
１６６…ワイヤロープ駆動ホイール
【図１】
2010169075.tif 000003
【図２】
2010169075.tif 000004
【図３】
2010169075.tif 000005